(57)【要約】【課題】信号レベルの広い範囲に渡って伝送品質を精度良く測定するレベルチェッカを提供する。【解決手段】入力レベル調整部１５の出力の供給先を、信号レベル測定部１６に設定し、信号レベル測定部１６の入力レベルがレベル測定用許容範囲内となるように調整した後、信号レベル測定部１６を介した信号レベルの測定を実行する（Ｓ２１０〜Ｓ２４０）。伝送品質測定を実行する場合には（Ｓ２５０−ＹＥＳ）、入力レベル調整部１５の出力の供給先を伝送品質測定部１７に設定し、先に算出された信号レベルと、ＲＯＭに記憶された最適値設定テーブルとに従って伝送品質測定部１７の入力レベルの最適値を求め、求めた最適値が得られるように、入力レベル調整部１５での測定対象信号に対するゲインを設定した後、伝送品質測定部１７を介した伝送品質の測定を実行する（Ｓ２６０〜Ｓ２９０）。【選択図】図４
2010239541.tif 000002
【特許請求の範囲】
【請求項１】
チェック対象となるテレビ放送信号の物理チャンネルを指定する指定手段と、
前記指定手段にて指定された物理チャンネルを指定チャンネル、該指定チャンネルの信号を測定対象信号として、該測定対象信号の信号レベルを測定するレベル測定手段と、
前記測定対象信号を復調する際に抽出される情報及び該復調により得られるビット列に基づいて、前記指定チャンネルでの伝送品質を測定する品質測定手段と、
前記レベル測定手段及び前記品質測定手段での測定結果を表示する表示手段と、
を備えたレベルチェッカにおいて、
前記測定対象信号に対するゲインを増減することで、前記レベル測定手段及び前記品質測定手段の入力レベルを調整する入力レベル調整手段と、
前記品質測定手段の入力レベルが、該品質測定手段での測定精度を保証するために規定された品質測定用許容範囲内の値となるように、前記入力レベル調整手段を制御する品質測定用ゲイン制御手段と、
を設けたことを特徴とするレベルチェッカ。
【請求項２】
前記品質測定用ゲイン制御手段は、前記品質測定用許容範囲内の値として、前記測定対象信号の信号レベルに応じて異なった最適値を用いることを特徴とする請求項１に記載のレベルチェッカ。
【請求項３】
前記レベル測定手段への入力レベルが測定精度を保証するために規定されたレベル測定用許容範囲内の値となるように、前記入力レベル調整手段を制御するレベル測定用ゲイン制御手段を備え、
前記品質測定用ゲイン制御手段は、前記レベル測定用ゲイン制御手段の制御により入力レベルが調整された前記レベル測定手段での測定結果に従って、前記最適値を設定することを特徴とする請求項２に記載のレベルチェッカ。
【請求項４】
前記レベル測定用ゲイン制御手段は、前記入力レベル調整手段によって調整される前記測定対象信号に対するゲインを、二分検索法を用いて決定することを特徴とする請求項３に記載のレベルチェッカ。
【請求項５】
前記テレビ放送信号は、少なくとも地上波デジタル放送を含むことを特徴とする請求項１乃至請求項４のいずれかに記載のレベルチェッカ。
【発明の詳細な説明】
【技術分野】
【０００１】
本発明は、テレビ放送波の受信レベルを測定するレベルチェッカに関する。
【背景技術】
【０００２】
従来より、テレビ放送波用受信アンテナの設置時に行う設置方向の調整作業や、共同受信システムやＣＡＴＶシステム等において行うシステム各部での信号レベルの確認作業等で使用するレベルチェッカが知られている（例えば、特許文献１参照）。
【０００３】
また、近年では、デジタル放送に対応するレベルチェッカとして、信号レベルの測定だけでなく、受信したテレビ放送信号を復調するチューナモジュールを内蔵し、復調の際に抽出される情報から変調誤差比（ＭＥＲ）を求めたり、復調により得られたビット列のビット誤り率（ＢＥＲ）を求めたりすることによって伝送品質の測定を行うものが知られている。
【先行技術文献】
【特許文献】
【０００４】
【特許文献１】特開２００６−２９５３６３号公報
【発明の概要】
【発明が解決しようとする課題】
【０００５】
ところで、レベルチェッカを構成するチューナモジュールとして、測定器用に専用に設計されたものではなく、地上波デジタル対応テレビ等に内蔵される視聴機器用の規格に合わせて設計されたものを流用する場合がある。
【０００６】
通常、測定器に必要なダイナミックレンジは、視聴機器に必要なダイナミックレンジと比較して広いため、測定対象信号の信号レベルが、チューナモジュールのダイナミックレンジから外れてしまう場合があり、このような場合に、伝送品質を精度良く測定することができないという問題があった。
【０００７】
本発明は、上記問題点を解決するために、信号レベルの広い範囲に渡って伝送品質を精度良く測定するレベルチェッカを提供することを目的とする。
【課題を解決するための手段】
【０００８】
上記目的を達成するためになされた請求項１に記載の発明は、チェック対象となるテレビ放送信号の物理チャンネルを指定する指定手段と、前記指定手段にて指定された物理チャンネルを指定チャンネル、該指定チャンネルの信号を測定対象信号として、該測定対象信号の信号レベルを測定するレベル測定手段と、前記測定対象信号を復調する際に抽出される情報及び該復調により得られるビット列に基づいて、前記指定チャンネルでの伝送品質を測定する品質測定手段と、前記レベル測定手段及び前記品質測定手段での測定結果を表示する表示手段とを備えたレベルチェッカにおいて、前記測定対象信号に対するゲインを増減することで、前記レベル測定手段及び前記品質測定手段の入力レベルを調整する入力レベル調整手段と、前記品質測定手段の入力レベルが、該品質測定手段での測定精度を保証するために規定された品質測定用許容範囲内の値となるように、前記入力レベル調整手段を制御する品質測定用ゲイン制御手段とを設けたことを特徴とする。
【０００９】
請求項２に記載の発明は、請求項１に記載のレベルチェッカにおいて、前記品質測定用ゲイン制御手段は、前記品質測定許容範囲内の値として、前記測定対象信号の信号レベル
に応じて異なった最適値を用いることを特徴とする。
【００１０】
請求項３に記載の発明は、請求項２に記載のレベルチェッカにおいて、前記レベル測定手段への入力レベルが、測定精度を保証するために規定されたレベル測定用許容範囲内の値となるように、前記入力レベル調整手段を制御するレベル測定用ゲイン制御手段を備え、前記品質測定用ゲイン制御手段は、前記レベル測定用ゲイン制御手段の制御により入力レベルが調整された前記レベル測定手段での測定結果に従って、前記最適値を設定することを特徴とする。
【００１１】
請求項４に記載の発明は、請求項３に記載のレベルチェッカにおいて、前記レベル測定用ゲイン制御手段は、前記入力レベル調整手段によって調整される前記測定対象信号に対するゲインを、二分検索法を用いて決定することを特徴とする。
【００１２】
請求項５に記載の発明は、請求項１乃至請求項４のいずれかに記載のレベルチェッカにおいて、前記テレビ放送信号は、少なくとも地上波デジタル放送を含むことを特徴とする。
【発明の効果】
【００１３】
請求項１に記載のレベルチェッカによれば、測定対象信号の信号レベルが品質測定用許容範囲外の値であったとしても、入力レベル調整手段を制御することによって、品質測定手段の入力レベルを品質測定用許容範囲内の値とすることができるため、指定チャンネルの伝送品質を精度良く測定することができる。
【００１４】
また、本発明のレベルチェッカによれば、品質測定手段として、入力レベルの許容範囲が、当該レベルチェッカが保証する測定範囲より狭い市販のチューナモジュールを用いることができ、製造に要する手間やコストを削減することができる。
【００１５】
請求項２に記載のレベルチェッカによれば、品質測定手段の入力レベルを、測定対象信号の信号レベルに応じた最適値とすることができるため、測定精度をより向上させることができる。
【００１６】
請求項３に記載のレベルチェッカによれば、測定対象信号の信号レベルがレベル測定許容範囲外の値であったとしても、入力レベル調整手段を制御することによって、レベル測定手段の入力レベルをレベル測定用許容範囲内の値とすることができるため、測定対象信号の信号レベルを精度良く測定することができる。
【００１７】
しかも、本発明では、その精度良く測定された信号レベルに基づいて、品質測定手段の入力レベルとなる最適値を設定するため、指定チャンネルの伝送品質の測定精度をより向上させることができる。
【００１８】
請求項４に記載のレベルチェッカによれば、測定対象信号に対するゲインが二分検索法を用いて決定されるため、測定に要する時間を短縮することができる。
請求項５に記載のレベルチェッカによれば、地上波デジタル放送用の受信アンテナの設置方向を調整する作業等に使用することができる。
【００１９】
なお、テレビ放送信号は、地上波デジタル放送の放送信号に限らず、衛星デジタル放送の放送信号や、ＣＡＴＶの放送信号であってもよい。
【図面の簡単な説明】
【００２０】
【図１】レベルチェッカの全体構成を示すブロック図。
【図２】入力レベル調整部の詳細な構成を示すブロック図。
【図３】制御部が実行するメイン処理の内容を示すフローチャート。
【図４】制御部が実行する測定処理の内容を示すフローチャート。
【図５】測定モード毎に設定された測定結果画像の表示例を示す説明図。
【図６】入力レベル調整処理の詳細を示すフローチャート。
【図７】減衰量の変更方法を説明するための二分木を示した説明図。
【発明を実施するための形態】
【００２１】
以下に本発明の実施形態を図面と共に説明する。
＜概要＞
図１は、本発明が適用されたレベルチェッカ１０の全体構成を示すブロック図である。
【００２２】
なお、レベルチェッカ１０は、地上波デジタル放送用のチャンネル（ＵＨＦ帯）を用いて伝送される信号（以下「放送信号」という）を受信し、指定された物理チャンネル（帯域幅６ＭＨｚ）毎に信号レベル及び伝送品質（ＢＥＲ，ＭＥＲ）の測定を行うものである。
【００２３】
また、放送信号には、ＭＰＥＧ２方式が適用されており、ＴＳ（トランスポート・ストリーム）パケットが使用される。このＴＳパケットは、畳み込み符号、リード・ソロモン符号によって符号化され、更に６４ＱＡＭ，ＯＦＤＭによって変調された状態で、放送局から送出される。
【００２４】
＜構成＞
図１に示すように、レベルチェッカ１０は、放送信号を伝送する伝送線路に接続される入力端子１１と、測定結果等を表示するための表示部１２と、当該レベルチェッカ１０に対する各種指令を入力するための操作部１３とを備えている。
【００２５】
なお、入力端子１１は、テレビ受像機やチューナに設けられた放送信号の入力端子と同型のコネクタによって構成されている。
表示部１２は、液晶ディスプレイ（ＬＣＤ）からなる周知のものである。
【００２６】
操作部１３は、キーマトリクス等で構成され、表示部１２の表示と連動して、少なくとも、測定対象となるチャンネル／周波数の指定や測定内容を規定する測定モードの切替を行うための入力操作が可能なようにされている。
【００２７】
また、レベルチェッカ１０は、チャンネル設定信号Ｓchに示された物理チャンネル（以下「指定チャンネル」という）の信号を抽出して、その信号レベルＬＶを測定する信号レベル測定部１６と、指定チャンネルの信号を復調，誤り訂正処理等を施してＴＳパケットを表すビット列を生成すると共に、その復調時に得られる情報を用いて指定チャンネルの伝送品質（ＭＥＲ，ＢＥＲ）を測定する伝送品質測定部１７と、入力端子１１を介して入力される放送信号の信号レベルを、ゲイン調整信号Ｓgcに従って増減させてレベル調整を行うと共に、レベル調整された信号を、動作選択信号Ｓseに従って信号レベル測定部１６又は伝送品質測定部１７のいずれかに供給する入力レベル調整部１５と、操作部１３を介して入力される各種指令に従って、当該装置の各部を制御すると共に、信号レベル測定部１６及び伝送品質測定部１７での測定結果に基づいて生成される測定結果画像を表示部１２に表示させる制御部１８とを備えている。
【００２８】
また、レベルチェッカ１０には、図示しないが、装置各部に電源供給を行うバッテリや、衛星放送受信用のアンテナに設けられたコンバータに対して、入力端子１１に接続された伝送線路を介して給電を行うための給電回路等も設けられている。
【００２９】
＜信号レベル測定部＞
信号レベル測定部１６は、指定チャンネルの信号を抽出する選局回路、選局回路の出力を検波する検波回路等からなる周知のものである。
【００３０】
但し、信号レベル測定部１６にて測定される信号レベルＬＶは、入力レベル調整部１５にて調整されたものである。つまり、信号レベルＬＶは、実際の信号レベルを表したものではなく、実際の信号レベルを求めるために必要な情報として、制御部１８に供給される。
【００３１】
なお、信号レベル測定部１６は、測定可能な入力レベルの範囲（以下「レベル測定用許容範囲」という）が予め規定されており、しかも、レベルチェッカ１０の測定可能範囲は、このレベル測定用許容範囲より広く設定されている。
【００３２】
＜伝送品質測定部＞
伝送品質測定部１７は、指定チャンネルの信号をダイレクト復調することによってビット列を生成し、そのビット列に対する誤り訂正処理（ここではビタビ復号）を行うことによって、ＴＳパケット（誤り訂正されたビット列）を生成する。
【００３３】
更に、復調時に抽出されるＭＥＲの算出に必要な情報（例えば、Ｉ，Ｑ信号の振幅）や、復調により得られたビット列（訂正前のビット列）、及び該ビット列に対して誤り訂正処理を施したビット列（訂正後のビット列）から得られるＢＥＲの算出に必要な情報（例えば、測定対象となったビット数、誤り訂正が行われたビット数）を求めて、制御部１８に供給するように構成されている。
【００３４】
また、伝送品質測定部１７は、測定可能な入力レベルの範囲（以下「品質測定用許容範囲」という）が予め規定されている。しかも、レベルチェッカ１０に入力される信号レベルに応じて、測定に最適値が予め規定されている。
【００３５】
＜入力レベル調整部＞
入力レベル調整部１５は、図２に示すように、入力端子１１を介して入力される信号を減衰させる可変減衰器３１と、可変減衰器３１をバイパスする経路に設けられたスイッチ３２と、可変減衰器３１の出力又はスイッチ３２により可変減衰器３１を迂回させた出力を、固定された倍率で増幅する増幅器３３と、増幅器３３の出力を減衰させる可変減衰器３４と、可変減衰器３４の出力を固定された倍率で増幅する増幅器３５と、増幅器３５の出力を動作選択信号Ｓseに従って、信号レベル測定部１６又は伝送品質測定部１７のいずれかに供給するセレクタ３６とからなる。
【００３６】
なお、可変減衰器３１，３４での減衰量、及びスイッチ３２の導通，遮断状態は、ゲイン調整信号Ｓgcに従って変化するように構成されている。
具体的には、可変減衰器３１，３４での合計減衰量は、０〜５０ｄＢまで０．１ｄＢ単位で調整でき、更に、スイッチ３２を導通状態（ＰＡＳＳ  ＯＮ）とすることによって、可変減衰器３１での通過減衰量（４〜５ｄＢ）分だけ合計減衰量を低減できるように構成されている。つまり、合計減衰量を０ｄＢに設定した場合でも、実際には、可変減衰器３４での通過減衰量分だけ減衰量が存在することになる。
【００３７】
また、セレクタ３６は、いずれの供給先が選択された場合でも、通過減衰量が同一となるように構成されている。
＜制御部＞
制御部１８は、ＣＰＵ，ＲＯＭ，ＲＡＭを中心に構成された周知のマイクロコンピュータからなり、信号レベル，伝送品質の測定や測定結果の表示を行う測定処理や、操作部１３での操作に従って測定条件の設定や測定処理の起動停止を行うメイン処理等を実行する。
【００３８】
なお、ＲＯＭには、メイン処理や測定処理を実行するためのプログラムの他、レベルチェッカ１０への入力信号の信号レベルと、伝送品質測定部１７での入力レベルの最適値との関係を示すテーブル（最適値設定テーブル）が少なくとも記憶されている。
【００３９】
<<メイン処理>>
ここで制御部１８が実行するメイン処理を、図３に示すフローチャートに沿って説明する。
【００４０】
なお、本処理は、レベルチェッカ１０の電源がオンしている間実行される。
Ｓ１１０では、操作部１３にて測定の開始又は終了を指示する測定指示操作が行われたか否かを判断し、肯定判断した場合はＳ１２０に、否定判断した場合はＳ１３０に移行する。
【００４１】
Ｓ１２０では、後述する測定処理が既に実行されているのであれば、その測定処理を停止し、測定処理が実行されていないのであれば、測定処理を起動してＳ１１０に戻る。
Ｓ１３０では、操作部１３にて測定処理の対象となる物理チャンネルを指定するチャンネル指定操作が行われたか否かを判断し、肯定判断した場合はＳ１４０に、否定判断した場合はＳ１５０に移行する。
【００４２】
Ｓ１４０では、信号レベル測定部１６及び伝送品質測定部１７に、チャンネル指定操作によって指定された物理チャンネル（即ち、指定チャンネル）を表すチャンネル設定信号Ｓchを出力してＳ１１０に戻る。
【００４３】
Ｓ１５０では、操作部１３にて、測定モードを指定するモード指定操作が行われたか否かを判断し、肯定判断した場合はＳ１６０に移行し、否定判断した場合はＳ１１０に戻る。
【００４４】
なお、レベルチェッカ１０の測定モードとしては、アンテナ方向調整に用いるアンテナ方向調整モード、主として信号レベルの確認に用いるレベル測定モード、主として信号品質の確認に用いるＢＥＲ／ＣＮ比測定モード、主としてコンスタレーションの確認に用いるコンスタレーション表示モードが存在する。
【００４５】
Ｓ１６０では、操作部１３を介して設定された測定モードでの測定，表示が行われるように、当該レベルチェッカ１０の各部を設定して、Ｓ１１０に戻る。
なお、測定モードの設定結果は、後述する測定処理において、伝送品質測定の要否の判定や測定結果画像の生成等に使用される。
【００４６】
<<測定処理>>
次に、Ｓ１２０の処理によって起動，停止される測定処理の内容を、図４に示すフローチャートに沿って説明する。なお、本処理は、起動操作が行われると、停止操作が行われるまでの間、一定時間間隔毎に繰り返し実行される。
【００４７】
本処理が起動すると、まずＳ２１０では、入力レベル調整部１５の出力の供給先が、信号レベル測定部１６となるように動作選択信号seを設定する。
Ｓ２２０では、信号レベル測定部１６の入力レベルがレベル測定用許容範囲内となるように調整する入力レベル調整処理を実行する。
【００４８】
Ｓ２３０では、信号レベルの算出に必要なデータを取得する。ここでは、信号レベル測定部１６での測定結果を３回連続して測定し、そのばらつきが予め設定された許容値以下である場合に、その平均値を算出用データとする。
【００４９】
Ｓ２４０では、Ｓ２３０で取得した算出用データ、及びＳ２２０にて調整された入力レベル調整部１５でのゲインに基づいて信号レベル、及びＣ／Ｎを算出し、その算出結果をＲＡＭに保存する。
【００５０】
Ｓ２５０では、伝送品質測定を実行するか否かを判断し、伝送品質測定を実行するのであればＳ２６０に移行し、伝送品質測定を実行しないのであればＳ３００に移行する。
なお、伝送品質測定を実行するか否かの判断は、設定されている測定モードにより判断する。具体的には、レベル測定モードでは否定判断され、それ以外では肯定判断される。
【００５１】
Ｓ２６０では、入力レベル調整部１５の出力の供給先が、伝送品質測定部１７となるように動作選択信号seを設定する。
Ｓ２７０では、Ｓ２４０にて算出された信号レベルと、ＲＯＭに記憶された最適値設定テーブルとに従って最適値を求め、伝送品質測定部１７の入力レベルが、その求めた最適値となるように、ゲイン調整信号Ｓgcによって、入力レベル調整部１５での測定対象信号に対するゲインを設定する。
【００５２】
Ｓ２８０では、伝送品質測定部１７から伝送品質の算出に必要なデータを取得する。
Ｓ２９０では、Ｓ２８０にて取得したデータに基づき、ＭＥＲ，ＢＥＲ等を算出し、その算出結果をＲＡＭに保存する。
【００５３】
Ｓ３００では、Ｓ２４０及びＳ２９０にて算出，保存された測定結果、及び操作部１３を介して選択された測定対象の物理チャンネルに従って、設定されている測定モードに応じた測定結果表示用の画像データを生成して本処理を終了する。
【００５４】
ここで、測定モード毎に用意されている測定結果画像の表示例を図５に示す。但し、（ａ）がアンテナ方向調整モード、（ｂ）がレベル測定モード、（ｃ）がＢＥＲ／ＣＮ比測定モード、（ｄ）がコンスタレーション表示モードである。
【００５５】
図５に示すように、いずれの測定結果画像にも、「測定モード」「測定対象のバンド名」「測定対象チャンネル」「測定対象周波数」「変調方式」「バッテリ残量」「ブースタ給電の有無」等が表示される。
【００５６】
更に、測定結果画像には、実際の測定結果として、アンテナ方向調整モードの場合は、
「信号レベルのバーグラフ」「受信確認マーク」「Ｃ／Ｎの値」「ＢＥＲの値」が表示され（図５（ａ）参照）、レベル測定モードの場合は、「信号レベルのバーグラフ」「信号レベルの値」が表示され（図５（ｂ）参照）、ＢＥＲ／ＣＮ比測定モードの場合は、「ＢＥＲのバーグラフ」「ＢＥＲの値」「Ｃ／Ｎの値」が表示され（図５（ｃ）参照）、コンスタレーション表示モードの場合は、「コンスタレーションのバラツキ図」「ＭＥＲの値」が表示される（図５（ｄ）参照）。
【００５７】
<<測定処理>>
次に、先のＳ２２０にて実行する入力レベル調整処理の詳細を、図６に示すフローチャートに沿って説明する。
【００５８】
なお、本処理では、可変減衰器３１，３４による合計減衰量を増減させることによって、信号レベル測定部１６の入力レベルを調整する。この時、０〜８０ｄＢの間の１０ｄＢ単位で規定された減衰量を、二分探索法を用いて設定する。
【００５９】
本処理では、まずＳ４１０にて、可変減衰器３１，３４での合計減衰量をゲイン調整信号Ｓgcによって初期設定する。ここでは、スイッチ３２が遮断状態となり、且つ、合計減衰量が、図７に示した二分木のルートに記載されている５０ｄＢとなるように設定する。
【００６０】
Ｓ４２０では、信号レベル測定部１６での測定結果から信号レベルを算出する。ここでは、Ｓ２３０での処理と同様に、測定結果を３回連続して取得し、それらの間のばらつきが、いずれも予め設定された許容値以下である場合に、その平均値を、測定対象信号の信号レベルとする。
【００６１】
Ｓ４３０では、Ｓ４２０にて算出された信号レベルが、レベル測定用許容範囲内であるか否かを判断し、肯定判断した場合は、そのまま本処理を終了し、否定判断した場合は、Ｓ４４０に移行する。
【００６２】
Ｓ４４０では、合計減衰量をゲイン調整信号Ｓgcによって変更してＳ４２０に戻る。
具体的には、信号レベルがレベル測定用許容範囲より小さい場合には、二分木中の現在位置から図中上側の枝に示された値が合計減衰量となる（即ち、合計減衰量が減少する）ように設定し、信号レベルがレベル測定用許容範囲より大きい場合には、二分木中の現在位置から図中下側の枝に示された値が合計減衰量となる（即ち、合計減衰量が増大する）ように設定する。
【００６３】
なお、図中、「ＰＡＳＳ」とあるのは、合計減衰量を０ｄＢとし、且つスイッチ３２を導通状態として、可変減衰器３１をバイパスすることを意味する。
また、二分木の末端に到達しても、信号レベルがレベル測定用許容範囲内に納まらない場合は、以後、レベル測定用許容範囲より小さい場合には、合計減衰量を１０ｄＢ減少させ（但し、０ｄＢの場合は「ＰＡＳＳ」にし、既に「ＰＡＳＳ」になっている場合は本処理を終了させる）、レベル測定用許容範囲より大きい場合には、合計減衰量を１０ｄＢ増大させる（但し、既に最大減衰量になっている場合は本処理を終了させる）。
【００６４】
＜効果＞
以上説明したように、レベルチェッカ１０によれば、測定対象信号の信号レベルがレベル測定用許容範囲外や品質測定用許容範囲外の値であったとしても、入力レベル調整部１５での測定対象信号に対するゲインを制御することによって、信号レベル測定部１６の入力レベルをレベル測定用許容範囲内の値としたり、伝送品質測定部１７の入力レベルを品
質測定用許容範囲内の最適値としたりすることができるため、測定対象信号の信号レベルや、指定チャンネルの伝送品質を精度良く測定することができる。
【００６５】
しかも、伝送品質測定部１７の入力レベルとなる最適値は、精度良く測定された信号レベルに基づいて設定されるため、指定チャンネルの伝送品質の測定精度をより向上させることができる。
【００６６】
また、レベルチェッカ１０によれば、伝送品質測定部１７として、当該レベルチェッカ１０が保証する測定範囲より入力レベルの許容範囲が狭い市販のチューナモジュールを用いることができるため、製造に要する手間やコストを削減することができる。
【００６７】
＜発明との対応＞
本実施形態において、操作部１３及びＳ１３０，Ｓ１４０が指定手段、信号レベル測定部１６及びＳ２３０，Ｓ２４０がレベル測定手段、伝送品質測定部１７及びＳ２８０，Ｓ２９０が品質測定手段、表示部１２及びＳ３００が表示手段、入力レベル調整部１５が入力レベル調整手段、Ｓ２７０が品質測定用ゲイン制御手段、Ｓ２２０（Ｓ４１０〜Ｓ４４０）がレベル測定用ゲイン制御手段に相当する。
【００６８】
＜他の実施形態＞
以上本発明の一実施形態について説明したが、本発明は上記実施形態に限定されるものではなく、本発明の要旨を逸脱しない範囲において様々な態様にて実施することが可能である。
【００６９】
例えば、上記実施形態では、入力レベル調整部１５において可変減衰器を用いてゲインを変更しているが、可変増幅器を用いたり、可変減衰器及び可変増幅器の両方を用いたりしてゲインを変更してもよい。
【００７０】
また、上記実施形態では、伝送品質測定部１７として、地上波デジタル放送の変調方式，符号化方式に対応したものを用いたが、ＣＡＴＶ，ＢＳデジタル放送，ＣＳ放送の変調方式，符号化方式に対応したものを用いてもよい。また、複数種類の伝送品質測定部１７を設け、適宜、切り替えて使用するように構成されていてもよい。
【符号の説明】
【００７１】
１０…レベルチェッカ  １１…入力端子  １２…表示部  １３…操作部  １５…入力レベル調整部  １６…信号レベル測定部  １７…伝送品質測定部  １８…制御部  ３１，３４…可変減衰器  ３２…スイッチ  ３３，３５…増幅器  ３６…セレクタ
【図１】
2010239541.tif 000003
【図２】
2010239541.tif 000004
【図３】
2010239541.tif 000005
【図４】
2010239541.tif 000006
【図５】
2010239541.tif 000007
【図６】
2010239541.tif 000008
【図７】
2010239541.tif 000009